(57)【要約】      （修正有）【課題】箱状に組立てた状態で底部に隙間が形成され難い箱用シートを提供する。【解決手段】１枚の段ボールシートから形成され、箱状に組立てられる箱用シートであって、四角筒状に組立てられるよう左右方向に連接される方形状の前面パネル１、後面パネル２及び一対の側面パネル３，４と、上記前面パネル、後面パネル及び一対の側面パネルの少なくともいずれかの下縁から延出し、組立て状態で四角筒状部の下端を封止する底部を形成する底形成パネル６〜９と、上記前面パネルの上縁から延出し、組立て状態で前面パネルの内面に折り返される方形状の接続パネル１０と、上記接続パネルの先端縁から延出し、組立て状態で底部の内面に積層される方形状の中敷パネル１１とを備え、上記段ボールシートの中芯の稜線の向きが、左右方向に対して３０°以上６０°以下傾斜していることを特徴とする。【選択図】図１
0003206670.tif 000002
【実用新案登録請求の範囲】
【請求項１】
１枚の段ボールシートから形成され、箱状に組立てられる箱用シートであって、
四角筒状に組立てられるよう左右方向に連接される方形状の前面パネル、後面パネル及び一対の側面パネルと、
上記前面パネル、後面パネル及び一対の側面パネルの少なくともいずれかの下縁から延出し、組立て状態で四角筒状部の下端を封止する底部を形成する少なくとも１つの底形成パネルと、
上記前面パネルの上縁から延出し、組立て状態で前面パネルの内面に折り返される方形状の接続パネルと、
上記接続パネルの先端縁から延出し、組立て状態で底部の内面に積層される方形状の中敷パネルと
を備え、
上記段ボールシートの中芯の稜線の向きが、左右方向に対して３０°以上６０°以下傾斜していることを特徴とする箱用シート。
【請求項２】
上記前面パネル、後面パネル及び一対の側面パネルと底形成パネルとの境界が、二重罫線、又は他のパネル間の境界を画定する罫線よりも鋭利な罫線によって画定される請求項１に記載の箱用シート。
【請求項３】
上記底部が、前面パネル、後面パネル及び一対の側面パネルのそれぞれから延出し、ワンタッチタイプの底部を形成する４つの底形成パネルから形成される請求項１又は請求項２に記載の箱用シート。
【請求項４】
上記後面パネルの上縁から延出し、組立て状態で四角筒状部の上端を封止する方形状の蓋パネルと、
上記蓋パネルの先端縁から延出し、組立て状態で上記接続パネルの前面パネルと反対側の面に沿って配置される差込片と、
上記一対の側面パネルの上縁から延出し、組立て状態で蓋パネルの両側部の内面に沿うよう配置される一対のフランジと
をさらに備える請求項１、請求項２又は請求項３に記載の箱用シート。
【請求項５】
上記前面パネルと接続パネルとの境界が二重罫線によって画定される請求項１から請求項４のいずれか１項に記載の箱用シート。
【考案の詳細な説明】
【技術分野】
【０００１】
本考案は、箱用シートに関する。
【背景技術】
【０００２】
段ボールシートから形成される箱体（段ボール箱）が、多様な品物を収容するために広く使用されている。段ボールとしては、４つの周面パネル（前面パネル、後面パネル及び一対の側面パネル）から形成される四角筒状部の下端開口を４つの周面パネルの下縁から延出する底形成パネルによって封止するものが知られている。
【０００３】
このような四角筒状部を形成する箱体の中で、無端ループ状に接続された４つの周面パネルを四角筒状に押し拡げることによって、４つの底形成パネルが組み合わされて四角筒状部の下端を封止する底部を自動的に形成するいわゆるワンタッチタイプの箱体が知られている。
【０００４】
詳しく説明すると、このようなワンタッチタイプの箱体は、左右方向１番目の底形成パネル及び２番目の底形成パネル間並びに３番目の底形成パネル及び４番目の底形成パネル間をそれぞれ予め貼り合わせ、この底形成パネルを周面パネルの内側に折り返すようにして折り畳んだ状態で提供され、４つの周面パネルを四角筒状に拡げることで、１番目の底形成パネルの内側に４番目の底形成パネルが滑り込むと共に２番目の底形成パネルが３番目の底形成パネルの内側に滑り込んで風車状に組み合わされることで底部を形成するよう構成される。
【０００５】
このようなワンタッチタイプの箱体は、底形成パネルを周面パネルの内側に折り畳んだ状態で提供されるが、折り畳み状態で底部と２つの周面パネルとの角を形成する部分に多数の段ボールシートを折り重ねる必要がある。このような折り畳みを可能にするためには底部の四隅にパネル間の逃げを設ける必要があり、組立て時に底部の四隅に隙間が形成され易い。また、ワンタッチタイプの箱体は、４つの底形成パネルが突き合わされ、重なり合わない底部の中央にも隙間が形成され易い。
【０００６】
そこで、４つの底形成パネルを風車状に組み合わせることなく糊付けのみにより相互に接続し、組立て状態で最も内側に配置される１枚の底形成パネルを大きく形成して底部の略全体を覆う中敷パネルとなるよう改良した箱体も開示されている（特開平８−９１３４６号公報参照）。
【０００７】
しかしながら、上記公報に記載の箱体の構成では、組立て時に４つの周面パネルを平面視方形の四角筒状にすると同時に中敷パネルを四角筒状部の下端開口部に配置するので、周面パネルとの干渉を避けるために中敷パネル（最内側の底形成パネル）の１辺を傾斜させる必要がある。つまり、上記公報に記載の箱体における中敷パネルは、組立て状態で四角筒状部の下端開口全体を封止する方形状とすることができず、底部の１つの隅の隙間を小さくすることができない。
【０００８】
また、上記公報に記載の箱体の構成では、底形成パネルの１つを中敷パネルとすることにより、４つの底形成パネルの長さが一定ではなくなるため、グルアーを用いて４つの周面パネルを無端ループ状に貼り合わせる際に、底形成パネルの先端縁をガイドに押し当てて周面パネル間の折り曲げを正確にするいわゆる直角矯正を行うことができない。このため、上記公報に記載の構成では、正確な組立てをすることができず、さらに隙間の大きな箱体となるおそれがある。
【先行技術文献】
【特許文献】
【０００９】
【特許文献１】特開平８−９１３４６号公報
【考案の概要】
【考案が解決しようとする課題】
【００１０】
上記不都合に鑑みて、本考案は、箱状に組立てた状態で底部に隙間が形成され難い箱用シートを提供することを課題とする。
【課題を解決するための手段】
【００１１】
上記課題を解決するためになされた考案は、１枚の段ボールシートから形成され、箱状に組立てられる箱用シートであって、四角筒状に組立てられるよう左右方向に連接される方形状の前面パネル、後面パネル及び一対の側面パネルと、上記前面パネル、後面パネル及び一対の側面パネルの少なくともいずれかの下縁から延出し、組立て状態で四角筒状部の下端を封止する底部を形成する少なくとも１つの底形成パネルと、上記前面パネルの上縁から延出し、組立て状態で前面パネルの内面に折り返される方形状の接続パネルと、上記接続パネルの先端縁から延出し、組立て状態で底部の内面に積層される方形状の中敷パネルとを備え、上記段ボールシートの中芯の稜線の向きが、左右方向に対して３０°以上６０°以下傾斜していることを特徴とする箱用シートである。
【００１２】
当該箱用シートは、上記前面パネルの上縁から延出し、組立て状態で前面パネルの内面に折り返される方形状の接続パネルと、上記接続パネルの先端縁から延出し、組立て状態で底部の内面に積層される方形状の中敷パネルとを備えることによって、組立て状態で底形成パネルにより形成される底部の内側に中敷パネルが配置され、底部の隙間を封止するので、底部に隙間が形成され難い。また、当該箱用シートは、上記段ボールシートの中芯の稜線の向きが、左右方向に対して３０°以上６０°以下傾斜していることによって、前面パネル及び後面パネルと側面パネルとの間の折り曲げが中芯の段目によって位置ずれし難く、前面パネル、後面パネル及び一対の側面パネルの間を比較的正確に折り曲げて正確な無端ループ状に貼り合わせることができる。これにより、組立て時に前面パネル、後面パネル及び一対の側面パネルにより形成される四角筒状部の形状誤差が比較的小さくなるので、上記中敷パネルとの間に隙間が形成され難い。
【００１３】
上記前面パネル、後面パネル及び一対の側面パネルと底形成パネルとの境界が、二重罫線、又は他のパネル間の境界を画定する罫線よりも鋭利な罫線によって画定されるとよい。このように、上記前面パネル、後面パネル及び一対の側面パネルと底形成パネルとの境界が、二重罫線、又は他のパネル間の境界を画定する罫線よりも鋭利な罫線によって画定されることによって、底形成パネルを無理なく折り曲げることができるので、底部が四角筒状部を歪ませ難い。このため、中敷パネルの形状を四角筒状部に対して余裕を持たないものとしても比較的容易に四角筒状部の下端に配置することができ、より隙間の小さい箱体を形成できる。
【００１４】
上記底部が、前面パネル、後面パネル及び一対の側面パネルのそれぞれから延出し、ワンタッチタイプの底部を形成する４つの底形成パネルから形成されるとよい。このように、上記底部が、前面パネル、後面パネル及び一対の側面パネルのそれぞれから延出し、ワンタッチタイプの底部を形成する４つの底形成パネルから形成されることによって、当該箱用シートの組立てがより容易となる。
【００１５】
上記後面パネルの上縁から延出し、組立て状態で四角筒状部の上端を封止する方形状の蓋パネルと、上記蓋パネルの先端縁から延出し、組立て状態で上記接続パネルの前面パネルと反対側の面に沿って配置される差込片と、上記一対の側面パネルの上縁から延出し、組立て状態で蓋パネルの両側部の内面に沿うよう配置される一対のフランジとをさらに備えるとよい。このように、上記後面パネルの上縁から延出し、組立て状態で四角筒状部の上端を封止する方形状の蓋パネルと、上記蓋パネルの先端縁から延出し、組立て状態で上記接続パネルの前面パネルと反対側の面に沿って配置される差込片と、上記一対の側面パネルの上縁から延出し、組立て状態で蓋パネルの両側部の内面に沿うよう配置される一対のフランジとをさらに備えることによって、当該箱用シートを組立ててなる箱体の封函が比較的容易となる。
【００１６】
上記前面パネルと接続パネルとの境界が二重罫線によって画定されるとよい。このように上記前面パネルと接続パネルとの境界が二重罫線によって画定されることによって、接続パネルを比較的容易かつ正確に前面パネルの内面側に折り返して中敷パネルによって四角筒状部の下端をより確実に封止することができる。
【考案の効果】
【００１７】
以上のように本考案に係る箱用シートは、箱状に組立てた状態で底部に隙間が形成され難い。
【図面の簡単な説明】
【００１８】
【図１】本考案の一実施形態の箱用シートを示す模式的平面図（展開図）である。
【図２】図１の箱用シートを組立ててなる箱体の斜視図である。
【図３】図２の箱体の封函状態を示す模式的断面図である。
【図４】本考案の図１とは異なる実施形態の箱用シートを示す模式的平面図である。
【考案を実施するための形態】
【００１９】
以下、適宜図面を参照しつつ、本考案の実施の形態を詳説する。
【００２０】
［箱用シート］
図１の箱用シートは、１枚の段ボールシートから形成され、図２に示すように、箱状に組立てられる。
【００２１】
なお、図１において、太い実線は段ボールシートを切断して形成されるエッジを示し、細い実線は段ボールシートの表面に筋押しして形成される罫線を示す。この罫線は、特に限定されないが、例えば先端部の断面形状が半円形のＲ罫線刃、先端部の断面形状が方形状の角罫線刃等によって形成することができる。また、罫線の幅としては、当該箱用シートを形成する段ボールシートの種類に応じて、慣用される幅を選択することができる。具体例としては、例えばＥフルートに角罫線刃を用いる場合には、１．４ｍｍとすることが一般的である。
【００２２】
当該箱用シートは、四角筒状に組立てられるよう左右方向に連接される方形状の前面パネル１、後面パネル２及び一対の側面パネル３，４を備える。より詳しくは、これらのパネルは、後面パネル２、第１の側面パネル３、前面パネル１及び第２の側面パネル４の順番に連接され、後面パネル２の第１の側面パネル３と反対側に連接される継ぎしろ５を第２の側面パネル４の端部裏面側に接着することによって、無端ループ状に接続される。
【００２３】
このため、前面パネル１、後面パネル２及び一対の側面パネル３，４は、左右方向に隣接するパネルに対して互いに略垂直に折り曲げた状態とすることで、当該箱用シートを組立ててなる箱体の周壁を構成する四角筒状部を形成する。
【００２４】
なお、本明細書において、「左右方向」とは、当該箱用シートを組立ててなる箱体の想定される一般的な使用態様における水平方向に対応する方向であり、「上」及び「下」とは、想定される一般的な使用態様における上下を意味するが、当該箱用シートの製造時の向きや当該箱用シートを組立ててなる箱体の使用時の向き制限することを企図しない。
【００２５】
また、当該箱用シートは、前面パネル１及び後面パネル２の下縁から延出する一対の第１底形成パネル６，７と、一対の側面パネル３，４の下縁から延出する一対の第２底形成パネル８，９とをさらに備える。一対の第１底形成パネル６，７及び一対の第２底形成パネル８，９は、互いに組み合わされることにより、当該箱用シートを組立ててなる箱体において、四角筒状部の下端を封止する底部を形成する。
【００２６】
また、当該箱用シートは、前面パネル１の上縁から延出し、組立て状態で前面パネル１の内面に折り返される方形状の接続パネル１０と、この接続パネル１０の先端縁から延出し、組立て状態で上記底形成パネル６，７，８，９により形成される底部の内面に積層される方形状の中敷パネル１１とを備える。
【００２７】
さらに、当該箱用シートは、後面パネル２の上縁から延出し、組立て状態で四角筒状部の上端を封止する方形状の蓋パネル１２と、この蓋パネル１２の先端縁から延出し、組立て状態で接続パネル１０の前面パネル１と反対側の面に沿って配置される差込片１３と、一対の側面パネル３，４の上縁から延出し、組立て状態で蓋パネル１２の両側部の内面に沿うよう配置される一対のフランジ１４，１５とを備える。
【００２８】
当該箱用シートを形成する段ボールシートとしては、１枚の中芯の両側を一対のライナーで挟み込んだものだけでなく、３枚のライナーの間にそれぞれ中芯が挟み込まれたいわゆるダブルフルートを使用してもよく、中芯の片側にのみライナーが貼着されたいわゆる片面段ボールを使用してもよい。
【００２９】
当該箱用シートは、段ボールシートの中芯の稜線の向きが、図１に二点鎖線内に図示するように、左右方向に対して傾斜している。これにより、段ボールシートを折り曲げて当該箱用シートを組立てる際に、中芯の段目に影響されることによる折り曲げ位置のずれが生じ難い。より詳しく説明すると、段ボールシートを中芯の稜線と平行に折り曲げる場合、ライナーと中芯とが接着されていない部分に沿って折れ曲がり易いので、所望の位置で正確に折り曲げられないことが多い。これに対し、段ボールシートを中芯の稜線に対して傾斜する方向に折り曲げる場合、ライナーと中芯との接着位置の影響を受け難く、所望の位置で比較的正確に折り曲げることができる。
【００３０】
当該箱用シートにおける段ボールシートの中芯の稜線の向きの左右方向に対する傾斜角度の下限としては、３０°であり、４０°が好ましく、４３°がより好ましい。一方、この段ボールシートの中芯の稜線の傾斜角度の上限としては、６０°であり、５０°が好ましく、４７°がより好ましい。段ボールシートの中芯の稜線の傾斜角度が上記下限に満たない場合、前面パネル１、後面パネル２及び一対の側面パネル３，４に体する底形成パネル６，７，８，９の折り曲げが不正確となり易くなることで、当該箱用シートを組立ててなる箱体が歪んで中敷パネル１１によって封止できない隙間が形成され易くなるおそれがある。逆に、段ボールシートの中芯の稜線の傾斜角度が上記上限を超える場合、継ぎしろ５を第２の側面パネル４に貼着して前面パネル１、後面パネル２及び一対の側面パネル３，４を無端ループ状に接続する際に、パネル間の折り曲げが不正確となり易くなることで、当該箱用シートを組立ててなる箱体が歪んで中敷パネル１１によって封止できない隙間が形成され易くなるおそれがある。段ボールシートの中芯の稜線の典型的な傾斜角度としては、左右方向の罫線及び上下方向の罫線の両方に対して折り曲げ位置のずれを効果的に抑制できるよう４５°とされる。
【００３１】
＜四角筒状部＞
四角筒状部を形成する前面パネル１、後面パネル２及び一対の側面パネル３，４は、上下方向の高さが略等しい。また、前面パネル１及び後面パネル２は左右方向の幅が略等しく、かつ一対の側面パネル３，４は左右方向の幅が略等しい。
【００３２】
＜底部＞
四角筒状部の下端を封止する底部は、前面パネル１、後面パネル２及び一対の側面パネル３，４を四角筒状に拡げることで、自動的に４つの底形成パネル６，７，８，９が組み合わされるいわゆるワンタッチタイプ（のり付け簡易組立形）の構成を有する。
【００３３】
より詳しくは、後面パネル２から延出する第１底形成パネル７とこれに隣接する第２底形成パネル８とが予め張り合わされ、前面パネル１から延出する第１底形成パネル６とこれに隣接する第２底形成パネル９とが予め張り合わされる。これらの底形成パネル６，７，８，９は、前面パネル１、後面パネル２及び一対の側面パネル３，４の内面側に折り返した状態で提供される。前面パネル１、後面パネル２及び一対の側面パネル３，４を四角筒状に拡げることで、第１底形成パネル６，７が貼着されていない方の第２底形成パネル８，９の内側に滑り込んで風車状に組み合わされることによって、四角筒状部の下端を封止する蓋部が形成される。
【００３４】
このようなワンタッチタイプの底形成パネル６，７，８，９のより詳細な形状については、例えばＪＩＳ−Ｚ１５０７（２０１３）にコード番号０７１２として規定されているものを採用することができる。
【００３５】
当該箱用シートにおいて、前面パネル１、後面パネル２及び一対の側面パネル３，４と底形成パネル６，７，８，９との境界（底形成パネル６，７，８，９の基端縁）は、二重罫線Ｌ１によって画定される。このような二重罫線Ｌ１は、２本の罫線刃により形成してもよいが、先端に溝が形成された１本のＶ罫線刃又はＵ罫線刃により形成することができる。
【００３６】
底形成パネル６，７，８，９の基端縁を画定する二重罫線Ｌ１の平均間隔の下限としては、当該箱用シートを形成する段ボールシートの平均厚さの０．５倍が好ましく、０．８倍がより好ましい。一方、底形成パネル６，７，８，９の基端縁を画定する二重罫線Ｌ１の平均間隔の上限としては、当該箱用シートを形成する段ボールシートの平均厚さの２倍が好ましく、１．５倍がより好ましい。底形成パネル６，７，８，９の基端縁を画定する二重罫線Ｌ１の平均間隔が上記下限に満たない場合、段ボールシートの折り曲げを十分の補助することができず、折り曲げ部分が膨らんで中敷パネル１１と干渉するおそれがある。逆に、底形成パネル６，７，８，９の基端縁を画定する二重罫線Ｌ１の平均間隔が上記上限を超える場合、底部の四隅の隙間が不必要に大きく成るおそれがある。
【００３７】
＜接続パネル＞
接続パネル１０は、当該箱用シートを組立てた状態で、前面パネル１の内面に沿うよう折り返され、その先端縁から延出する中敷パネル１１を底部の上に重ねるよう配置する。
【００３８】
この接続パネル１０の前面パネル１との境界は、図示するように、二重罫線Ｌ２によって画定されることが好ましい。このように、前面パネル１と接続パネル１０との境界を二重罫線Ｌ２によって画定することによって、当該箱用シートを組立ててなる箱体において、前面パネル１の上端に二重罫線Ｌ２の幅の縁部が形成され、これにより前面パネル１の上縁の曲げ強度を向上することができる。
【００３９】
前面パネル１と接続パネル１０との境界を画定する二重罫線Ｌ２の平均間隔の下限としては、当該箱用シートを形成する段ボールシートの平均厚さの０．８倍が好ましく、１倍がより好ましい。一方、前面パネル１と接続パネル１０との境界を画定する二重罫線Ｌ２の平均間隔の上限としては、当該箱用シートを形成する段ボールシートの平均厚さの３倍が好ましく、２倍がより好ましい。前面パネル１と接続パネル１０との境界を画定する二重罫線Ｌ２の平均間隔が上記下限に満たない場合、前面パネル１の上縁の曲げ強度を十分に向上できないおそれがある。逆に、前面パネル１と接続パネル１０との境界を画定する二重罫線Ｌ２の平均間隔が上記上限を超える場合、当該箱用シートを組立ててなる箱体の内容積が不必要に小さくなるおそれがある。
【００４０】
接続パネル１０は、前面パネル１の内面側に折り返されるので、一対の側面パネル３，４の間に配置される。このため、接続パネル１０の左右方向の幅は、前面パネル１の左右方向の幅よりも僅かに小さいことが好ましい。
【００４１】
接続パネル１０の平均幅と前面パネル１の平均幅との差の下限としては、当該箱用シートを形成する段ボールシートの平均厚さの０．８倍が好ましく、１倍がより好ましい。一方、接続パネル１０の平均幅と前面パネル１の平均幅との差の上限としては、当該箱用シートを形成する段ボールシートの平均厚さの２倍が好ましく、１．５倍がより好ましい。接続パネル１０の平均幅と前面パネル１の平均幅との差が上記下限に満たない場合、接続パネル１０の側縁が一対の側面パネル３，４と干渉することで接続パネル１０の折り返しが容易でなくなるおそれがある。逆に、接続パネル１０の平均幅と前面パネル１の平均幅との差が上記上限を超える場合、当該箱用シートを組立ててなる箱体に不必要に隙間が形成されるおそれがある。
【００４２】
また、接続パネル１０の上下方向の延出長さ（二重罫線Ｌ１の上側から先端までの距離）は、前面パネル１の上下方向の長さよりも僅かに小さいことが好ましい。
【００４３】
接続パネル１０の平均延出長さと前面パネル１の平均延出長さとの差の下限としては、当該箱用シートを形成する段ボールシートの平均厚さの０．８倍が好ましく、１倍がより好ましい。一方、接続パネル１０の平均延出長さと前面パネル１の平均延出長さとの差の上限としては、当該箱用シートを形成する段ボールシートの平均厚さの２倍が好ましく、１．５倍がより好ましい。接続パネル１０の平均延出長さと前面パネル１の平均延出長さとの差が上記下限に満たない場合、接続パネル１０の先端縁が底形成パネル６，８，９と干渉して接続パネル１０を前面パネル１の内面に沿って配置することが困難となるおそれがある。逆に、接続パネル１０の平均延出長さと前面パネル１の平均延出長さとの差が上記上限を超える場合、中敷パネル１１と底形成パネル６，７，８，９を組み合わせて形成される底部との間に空間が形成されて底部の強度を十分に向上できないおそれや、箱体に不必要な隙間が形成されるおそれがある。
【００４４】
＜中敷パネル＞
中敷パネル１１は、当該箱用シートの組立て時に、接続パネル１０の前面パネル１の内面側への折り返しによって、底形成パネル６，７，８，９を組み合わせて形成される蓋体の上に重ねられ、前面パネル１、後面パネル２及び一対の側面パネル３，４から形成される四角筒状部の下端の封止を強化する。また、中敷パネル１１は、当該箱用シートを組立ててなる箱体の底部を補強する機能も有する。
【００４５】
中敷パネル１１は、一対の側面パネル３，４の下端部の間に配置される。このため、中敷パネル１１の左右方向の幅は、前面パネル１及び背面パネル２の左右方向の幅よりも僅かに小さいことが好ましい。
【００４６】
中敷パネル１１の平均幅と前面パネル１及び背面パネル２の平均幅との差の下限としては、当該箱用シートを形成する段ボールシートの平均厚さの０．８倍が好ましく、１倍がより好ましい。一方、中敷パネル１１の平均幅と前面パネル１及び背面パネル２の平均幅との差の上限としては、当該箱用シートを形成する段ボールシートの平均厚さの２倍が好ましく、１．５倍がより好ましい。中敷パネル１１の平均幅と前面パネル１及び背面パネル２の平均幅との差が上記下限に満たない場合、中敷パネル１１の側縁が一対の側面パネル３，４と干渉することで底形成パネル６，７，８，９を組み合わせて形成される蓋体の上に重ねて配置することが困難となるおそれがある。逆に、中敷パネル１１の平均幅と前面パネル１及び背面パネル２の平均幅との差が上記上限を超える場合、当該箱用シートを組立ててなる箱体に不必要に隙間が形成されるおそれがある。
【００４７】
また、中敷パネル１１の上下方向の延出長さは、一対の側面パネル３，４の左右方向の幅よりも僅かに小さいことが好ましい。
【００４８】
中敷パネル１１の平均延出長さと一対の側面パネル３，４の平均幅との差の下限としては、当該箱用シートを形成する段ボールシートの平均厚さの０．８倍が好ましく、１倍がより好ましい。一方、中敷パネル１１の平均延出長さと一対の側面パネル３，４の平均幅との差の上限としては、当該箱用シートを形成する段ボールシートの平均厚さの２倍が好ましく、１．５倍がより好ましい。中敷パネル１１の平均延出長さと一対の側面パネル３，４の平均幅との差が上記下限に満たない場合、中敷パネル１１が前面パネル１及び後面パネル２と干渉して中敷パネル１１を底部に密着させて配置することが困難となるおそれがある。逆に、中敷パネル１１の平均延出長さと一対の側面パネル３，４の平均幅との差が上記上限を超える場合、中敷パネル１１を後面パネル２に密接させることができず、当該箱用シートを組立ててなる箱体に不必要に隙間が形成されるおそれがある。
【００４９】
＜蓋パネル＞
蓋パネル１２は、前面パネル１、後面パネル２及び一対の側面パネル３，４から形成される四角筒状部の上端を封止する。このため、蓋パネル１２の左右方向の幅は、前面パネル１及び背面パネル２の左右方向の幅と略等しく、蓋パネル１２の延出長さは、一対の側面パネル３，４の左右方向の幅と略等しい。より詳しくは、蓋パネル１２の上下方向の延出長さは、後述の差込片１３を接続パネル１０の内側に挿入できるよう、一対の側面パネル３，４の左右方向の幅よりも僅かに小さいことが好ましい。
【００５０】
＜差込片＞
差込片１３は、当該箱用シートを組立ててなる箱体の内側に接続パネル１０に沿うよう挿入され、接続パネル１０との間の摩擦により蓋パネル１２で箱体を封函した状体を保持する。
【００５１】
この差込片１３は、封函時に箱体に差し込み易くするために、先端縁と両側縁との角が面取りされている平面形状とすることが好ましい。
【００５２】
＜フランジ＞
一対のフランジ１４，１５は、当該箱用シートを組立ててなる箱体の封函時に、蓋パネル１２の内側面に当接することで、一対の側面パネル３，４と蓋パネル１２との間を封止する。
【００５３】
また、一対のフランジ１４，１５は、一対の側面パネル３，４の上縁に段ボールシートを折り曲げた角を形成することによって、一対の側面パネル３，４の状縁部の強度を向上する。
【００５４】
＜利点＞
当該箱用シートは、前面パネル１の上縁に接続パネル１０及び中敷パネル１１が延設されていることによって、組立て状態で底形成パネル６，７，８，９により形成される底部の内側に中敷パネル１１が配置され、前面パネル１、後面パネル２及び一対の側面パネル３，４から形成される四角筒状部の封止をより確実にするので、箱体の底部に隙間が形成され難い。
【００５５】
また、当該箱用シートは、段ボールシートの中芯の稜線の向きが、左右方向に対して傾斜していることによって、段ボールシートの折り曲げが中芯の段目によって位置ずれし難く、前面パネル１及び後面パネル２と一対の側面パネル３，４との間を比較的正確に折り曲げて精度よく無端ループ状に貼り合わせることができる。これにより、組立て時に前面パネル１、後面パネル２及び一対の側面パネル３，４により形成される四角筒状部の形状誤差が比較的小さくなるので、形成される四角筒状部の下端と中敷パネル１１との間に隙間が形成され難い。
【００５６】
［第二実施形態］
図４の箱用シートは、１枚の段ボールシートから形成され、箱状に組立てられる。
【００５７】
当該箱用シートは、四角筒状に組立てられるよう左右方向に連接される方形状の前面パネル１、後面パネル２及び一対の側面パネル３，４を備える。より詳しくは、これらのパネルは、後面パネル２、第１の側面パネル３、前面パネル１及び第２の側面パネル４の順番に連接され、後面パネル２の第１の側面パネル３と反対側に連接される継ぎしろ５を第２の側面パネル４の端部裏面側に接着することによって、無端ループ状に接続される。
【００５８】
また、当該箱用シートは、前面パネル１及び後面パネル２の下縁から延出する一対の第１底形成パネル６，７と、一対の側面パネル３，４の下縁から延出する一対の第２底形成パネル８，９とをさらに備える。一対の第１底形成パネル６，７及び一対の第２底形成パネル８，９は、互いに組み合わされることにより、当該箱用シートを組立ててなる箱体において、四角筒状部の下端を封止する底部を形成する。
【００５９】
また、当該箱用シートは、前面パネル１の上縁から延出し、組立て状態で前面パネル１の内面に折り返される方形状の接続パネル１０と、この接続パネル１０の先端縁から延出し、組立て状態で上記底形成パネル６，７，８，９により形成される底部の内面に積層される方形状の中敷パネル１１とを備える。
【００６０】
さらに、当該箱用シートは、後面パネル２の上縁から延出し、組立て状態で四角筒状部の上端を封止する方形状の蓋パネル１２と、この蓋パネルの先端縁から延出し、組立て状態で接続パネル１０の前面パネル１と反対側の面に沿って配置される差込片１３と、一対の側面パネル３，４の上縁から延出し、組立て状態で蓋パネル１２の両側部の内面に沿うよう配置される一対のフランジ１４，１５とに備える。
【００６１】
図４の箱用シートは、前面パネル１、後面パネル２及び一対の側面パネル３，４と底形成パネル６，７，８，９との境界が他のパネル間の境界を画定する罫線よりも鋭利な罫線Ｌ３によって画定される以外は、図１の箱用シートと同様の構成である。このため、図４の箱用シートについて、図１の箱用シートと重複する説明は省略する。
【００６２】
底形成パネル６，７，８，９の基端縁を画定する鋭利な罫線Ｌ３としては、他のパネル間の境界を画定する罫線が角罫線刃により形成される角罫線である場合、角罫線刃と刃の厚さが等しく、端部の断面形状が半円形のＲ罫線刃により形成されるＲ罫線とすることができる。
【００６３】
このように、底形成パネル６，７，８，９の基端縁を画定する罫線Ｌ３を鋭利にすることによって、前面パネル１、後面パネル２及び一対の側面パネル３，４により形成される四角筒状部の下端が内側に膨らんだり、底形成パネル６，７，８，９により形成される底部が歪んだりすることを防止できるので、中敷パネル１１を底部に密着するよう比較的正確に重ねることができ、当該箱用シートを組立ててなる箱体に隙間が形成されることを抑制できる。
【００６４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６５】
当該箱用シートにおいて四角筒状部の下端を封止する底部の構成は、ワンタッチタイプの底でなくてもよい。また、底部は前面パネル、後面パネル及び一対の側面パネルの少なくとも１つから延出する３つ以下の底形成パネルによって形成されてもよい。
【００６６】
また、当該箱用シートにおいて、四角筒状部の上端を封止する構成は任意である。例えば一対の側面パネルの上縁から延出する一対の蓋パネルにより四角筒状部の上端を封止してもよい。
【００６７】
また、当該箱用シートにおいて、前面パネルと接続パネルとの境界は、例えば１本の罫線、リード罫線、ミシン目等の二重罫線以外の折り曲げ容易線によって画定してもよい。
【００６８】
また、当該箱用シートにおいて、差込片は省略可能であり、差込片に替えて、例えば前面パネルの外側に配置されるフラップ等を蓋パネルの先端縁から延設してもよい。
【産業上の利用可能性】
【００６９】
本考案に係る箱用シートは、特に多数の小さい品物を不規則に収容する箱体として好適に利用することができる。
【符号の説明】
【００７０】
１  前面パネル
２  後面パネル
３，４  側面パネル
５  継ぎしろ
６，７  第１底形成パネル
８，９  第２底形成パネル
１０  接続パネル
１１  中敷パネル
１２  蓋パネル
１３  差込片
１４，１５  フランジ
Ｌ１  二重罫線
Ｌ２  二重罫線
Ｌ３  鋭利な罫線
【図１】
0003206670.tif 000003
【図２】
0003206670.tif 000004
【図３】
0003206670.tif 000005
【図４】
0003206670.tif 000006